(57)【要約】【課題】  部品点数を増加させずに、フイルムの巻取り不良を防止する。【解決手段】  巻取り室３１には第一及び第二フイルム押さえ部材４６，４８が設けられている。第二フイルム押さえ部材４８は、腕部５０とガイド部５１が一体に形成されている。フイルム３０がフイルム通路４０を通って巻取り室３１に進入すると、巻き癖が付いているフイルム先端部３０ａは案内位置に配置されたガイド部５１上に載り、摺動しながら巻取軸４３に案内されて巻き取られる。巻取軸４３にフイルム３０が巻き取られると、突起部４６ａ及び押圧部５０ａによってフイルム３０は巻取軸４３に押圧される。フイルム３０が全て巻き取られると、巻取り室３１に設けられた収納部５５に腕部５０とガイド部５１が収納される。これにより、フイルムの巻取り不良を防止できる。【選択図】        図１
2005195774.tif 000002
【特許請求の範囲】
【請求項１】
フイルムを巻き取る巻取軸を設けた巻取り室と、この巻取軸に巻き取られたフイルムを押圧するフイルム押さえ部材とを備えたカメラにおいて、
前記フイルム押さえ部材は、前記巻取り室の前記フイルムが進入してくる側の内壁面と前記巻取軸との間に設けられ、前記フイルムを押圧する押圧部と、この押圧部から延設された端部に、前記内壁面と前記巻取軸との隙間の少なくとも一部を塞ぐガイド部とを備えたことを特徴とするカメラ。
【請求項２】
前記内壁面には、前記ガイド部を収納する収納部が設けられており、前記ガイド部は前記フイルムの巻き取りに伴って、前記巻取り室に進入したフイルムの先端部を前記巻取軸に案内する案内位置と、巻取り完了状態で前記収納部に収納される収納位置との間で変位可能であることを特徴とする請求項１記載のカメラ。
【請求項３】
前記ガイド部の先端が前記内壁面と当接しており、前記案内位置と収納位置との間で変位する際には、前記先端が前記壁面に沿って摺動することを特徴とする請求項２記載のカメラ。
【発明の詳細な説明】
【技術分野】
【０００１】
本発明は、写真フイルムを巻取軸に押圧するフイルム押さえ部材に関するものである。
【背景技術】
【０００２】
【特許文献１】特開平９−２２２６４８号公報
【０００３】
従来の写真カメラでは、カメラにフイルムカートリッジが装填されると、フイルムカートリッジのスプールにカメラ側のフォークギアが係合してスプールがフイルム送り出し方向に回動される。スプールに巻き付けられて収納されているフイルムは、フイルムカートリッジから送り出されて、フイルムの撮影範囲を決定するアパーチャとカメラの後カバーとの間に設けられたフイルム通路を通ってフイルム巻取り室に送られる。
【０００４】
図３に示すように、フイルム巻取り室１０の内部には、フイルム１１を巻き付ける巻取軸１２が回動自在に設けられるとともに、カメラの後カバー１４側と撮影レンズ１５側とにそれぞれ第１フイルム押さえ部材１６と第２フイルム押さえ部材１７とが配置されている。各々のフイルム押さえ部材１６、１７は、フイルム１１を巻取軸１２に巻き取る際に、フイルム１１を巻取軸１２に押し付けてフイルム１１の弛みを低減させる。巻取軸１２にフイルム１１が巻き取られていくと、フイルム１１の巻取り量に応じて第一及び第二フイルム押さえ部材１６、１７が弾性変形する。すると、第二フイルム押さえ部材１７は巻取り室１０に設けられた収納部１８に収納される。また、上記特許文献１記載のカメラでも写真フイルムをスプールに押圧するローラバネが背蓋側と本体側に設けられている。写真フイルムの巻き取りに伴って、本体側に設けられたローラバネは、巻取り室の一部を形成する鏡筒構成部材に設けられた退避部に入り込む構造となっている。これにより、フイルム巻取り室内でのローラバネの移動範囲を確保することができ、カメラの左右方向寸法が大きくなることも防止している（特許文献１参照）。    
【発明の開示】
【発明が解決しようとする課題】
【０００５】
しかしながら、フイルムカートリッジから引き出されたフイルム先端部１１ａは、スプールに巻き付けられていたために、巻き癖が付いておりカールしている。そのため、フイルム１１が巻取軸１２に巻き取られる際に、第二フイルム押さえ部材１７とフイルム巻取り室１２の側壁との隙間にフイルム先端部１１ａが落ち込んでしまうので、フイルム１１を巻取軸１２に巻き付けることができない。そのため、ユーザは後カバー１４を開けて再びフイルム１１の装填を行わなければならなかった。
【０００６】
本発明は、上記問題点を解決するためになされたものであり、カメラを大型化せず、更に部品点数を増加さずにフイルム先端部の落ち込みを防止できるカメラを提供することを目的とする。
【課題を解決するための手段】
【０００７】
本発明のカメラは、フイルムを巻き取る巻取軸を設けた巻取り室と、この巻取軸に巻き取られたフイルムを押圧するフイルム押さえ部材とを備えたカメラにおいて、前記フイルム押さえ部材は、前記巻取り室の前記フイルムが進入してくる側の内壁面と前記巻取軸との間に設けられ、前記フイルムを押圧する押圧部と、この押圧部から延設された端部に、前記内壁面と前記巻取軸との隙間の少なくとも一部を塞ぐガイド部とを備えたものである。また、前記内壁面には、前記ガイド部を収納する収納部が設けられており、前記ガイド部はフイルムの巻き取りに伴って、前記巻取り室に進入したフイルムの先端部を前記巻取軸に案内する案内位置と、巻取り完了状態で前記収納部に収納される収納位置との間で変位可能であることが好ましい。また、前記ガイド部の先端が前記内壁面と当接しており、前記案内位置と収納位置との間で変位する際には、前記先端が前記壁面に沿って摺動することが好ましい。
【発明の効果】
【０００８】
本発明によれば、フイルム押さえ部材は、巻取り室のフイルムが進入してくる側の内壁面と巻取軸との間に設けられ、フイルムを押圧する押圧部と、この押圧部から延設された端部に、内壁面と巻取軸との隙間の少なくとも一部を塞ぐガイド部とを備えたので、部品点数を増加させずに巻き癖のついたフイルム先端部の落ち込みを防止できる。
【０００９】
また、内壁面には、ガイド部を収納する収納部が設けられており、ガイド部はフイルムの巻き取りに伴って、巻取り室に進入したフイルムの先端部を巻取軸に案内する案内位置と、巻取り完了状態で収納部に収納される収納位置との間で変位可能にしたので、巻取り室内にガイド部の変位範囲の確保と収納部とを確保でき、カメラの左右方向寸法が大きくなることが防止できる。
【発明を実施するための最良の形態】
【００１０】
図１に本発明を用いたカメラの概略を示す断面図である。カメラ２０は、図示しないフイルム給送機構や各種撮影機構が組み込まれた本体基部２１と、これを前後から覆って光密に閉じる前カバー２３及び後カバー２４とから構成されており、後カバー２４はヒンジ部２５を中心に開閉自在に設けられている。本体基部２１にはフイルムカートリッジ２７を装填する装填室２８と、フイルムカートリッジ２７から引き出されたフイルム３０を巻き取る巻取り室３１とが設けられている。装填室２８と巻取り室３１の間にはレンズ鏡筒３３が設けられており、レンズ鏡筒３３は撮影レンズ３４が組み込まれた移動筒３５と、この移動筒３５を内部に収容する固定筒３６とから構成されている。移動筒３５は、ズーム用モータ（図示せず）によって図に示す収納位置と移動筒３５を繰り出す撮影位置との間で繰り出し及び沈胴を行う。
【００１１】
レンズ鏡筒３３の後にはフイルム３０に対する露光範囲を決めるアパーチャ３８が配置されており、アパーチャ３８の背面側にはフイルム３０を背面から支持するフイルム規制板３９が後カバー２４に取り付けられている。このアパーチャ３８とフイルム規制板３９によって挟まれた空間は、フイルム３０の巻き取り及び巻き戻し時にフイルム３０が通過するフイルム通路４０となる。
【００１２】
装填室２８にフイルムカートリッジ２７を装填して光密に後カバー２４を閉じると、カメラ２０に設けられたスプールドライバ（図示せず）によって、フイルムカートリッジ２７のスプール２７ａが回動されてフイルム３０が送り出される。送り出されたフイルム３０はフイルム通路４０を通って巻取り室３１に入る。
【００１３】
巻取り室３１は、本体基部２１、固定筒３６の一部、後カバー２４、から構成されている。フイルム支持部４１はフイルム通路４０から巻取り室３１内に突出するように設けられている。フイルム支持部４１は、アパーチャ３８でのフイルム３０の平面性を保つ働きをする。また、フイルム支持部４１、固定筒３６と本体基部２１から構成された巻取り室３１の側壁面には、後述する収納部５５が形成されている。また、巻取り室３１の中央には、写真フイルム３０を巻き付ける円筒形状の巻取軸４３が回動自在に設けられている。巻取軸４３内には駆動モータ４４が収容されており、この駆動モータ４４の駆動力は本体基部２１に設けられた駆動伝達機構（不図示）によってスプールドライバと巻取軸４３とに選択的に伝達されて、フイルム３０の巻き取りと巻き戻しが行われる。巻取軸４３の外周面には係止爪４５が突出して一体に形成されている。この係止爪４５は、フイルム３０のパーフォレーションと係合して巻取軸４３にフイルム３０を巻き取る。
【００１４】
後カバー２４の内側には、フイルム通路４０を通って進入してきたフイルム３０を巻取軸４３に押圧する第一フイルム押さえ部材４６が設けられている。第一フイルム押さえ部材４６は、弾性変形可能な板バネからなり、一方の端部は後カバー２４に固着されており、他方の端部には円弧状の突起部４６ａが一体に形成されている。後カバー２４が閉じられると、第一フイルム押さえ部材４６は突起部４６ａを巻取軸４３の外周面を押圧する。      
【００１５】
また、巻取り室３１の撮影レンズ３４側には、第二フイルム押さえ部材４８が設けられている。第二フイルム押さえ部材４８は、第一フイルム押さえ部材４６と同様に弾性変形可能な板バネからなり、固定部４９、腕部５０、ガイド部５１が一体に形成されている。固定部４９は、巻取り室３１に設けられた凹部３１ａに嵌め込まれて固着されている。固定部４９より巻取軸４３へ延設された腕部５０には、円弧状の押圧部５０ａが巻取軸４３側に突出して形成されており、この押圧部５０ａは巻取軸４３の外周面を押圧している。押圧部５０ａから延設された端部からフイルム支持部４１の図中下面にかけて、フイルム支持部４１と巻取軸４３との隙間を塞ぐようにガイド部５１が延設されている。ガイド部５１の先端部には、折り曲げ部５１ａが設けられており、ガイド部５１は折り曲げ部５１ａをフイルム支持部４１の下面に当接させた案内位置に配置されている。
【００１６】
フイルムカートリッジ２７からフイルム通路４０を介して、フイルム先端部３０ａが巻取り室３１に進入すると、巻き癖が付いているフイルム先端部３０ａは、巻取り室３１内で時計回りにカールする。すると、フイルム先端部３０ａがガイド部５１に当接してガイド部５１上に載る。そして、フイルムカートリッジ２７からフイルム３０が連続的に送られるので、フイルム先端部３０ａはガイド部５１上を摺動して巻取軸４３に案内される。したがって、巻取軸４３が回転すると係止爪４５がフイルム３０のパーフォレーションと係合して巻取軸４３に巻き取られる。
【００１７】
本体基部２１、固定筒３６、フイルム支持部４１によって構成された巻取り室３１の内壁面には、巻取軸４３に全てのフイルム３０が巻き取られた際に、第二フイルム押さえ部材４８の腕部５０とガイド部５１とを収納する収納部５５が設けられている。図２（Ａ）に示すように、巻取軸４３にフイルム３０が巻き取られていくと、第一及び第二フイルム押さえ部材４６，４８の突起部４６ａ及び押圧部５０ａはフイルム３０を巻取軸４３に押圧しながらフイルム３０の弛みを低減させる。そして、第一及び第二フイルム押さえ部材４６，４８は巻取軸４３の法線方向に弾性変形しながら変位する。すると、図２（Ｂ）に示すように、ガイド部５１の折り曲げ部５１ａは、フイルム支持部４１の下面から固定筒３６の側面に沿って摺動することによりガイド部５１が弾性変形して折り畳まれ、収納部５５の収納位置で収納される。また、腕部５０もフイルム３０を巻取軸４３に押圧しながら収納部５５に収納される。なお、巻取軸４３に巻き取られたフイルム３０をフイルムカートリッジ２７に巻き戻す際には、スプール２７ａに係合しているカメラ側のフォークギアが巻き戻し方向に回転されて、スプール２７ａにフイルム３０が巻き戻される。この時、第一及び第二フイルム押さえ部材４６、４８は弾性変形によって再び元の位置に戻り、突起部４６ａ及び押圧部５１ａは巻取軸４３の外周面を押圧する。
【００１８】
上記構成の作用について説明する。ユーザがフイルムカートリッジ２７を装填室２８に装填して後カバー２４を閉めると、フイルムカートリッジ２７からフイルム通路４０を通って送られてきたフイルム先端部３０ａは、フイルム支持部４１を介して巻取り室３１内に入る。すると、巻き癖の付いているフイルム先端部３０ａは案内位置に設けられたガイド部５１上に載る。これにより、フイルムカートリッジ２７からのフイルム３０の送り出しに伴って、フイルム先端部３０ａはガイド部５１上を摺動しながら巻取軸４３まで移動する。フイルム先端部３０ａが巻取軸４３に達すると、巻取軸４３が回転してフイルム３０を巻取軸４３に巻き付ける。
【００１９】
図２（Ａ）に示すように、巻取軸４３にフイルム３０が巻き取られていくと、フイルム３０を突起部４６ａ及び押圧部５０ａで巻取軸４３に押圧しながら、第一フイルム押さえ部材４６は後カバー２４側へ、第二フイルム押さえ部材４８は固定筒３６側へ弾性変形する。これにより、第二フイルム押さえ部材４８のガイド部５１は、フイルム支持部４１の下面から固定筒３６の側面に沿って摺動しながら折り畳まれる。更に、図２（Ｂ）に示すように、フイルム３０が巻取軸４３に全て巻き取られると、ガイド部５１は折り曲げ部５１ａを固定筒３６の側面に当接さえたまま折り畳まれ、収納部５５の収納位置に収納される。これにより、フイルム先端部３０ａの落ち込みによる巻き取り不良を防止することができるとともに、第二フイルム押さえ部材４８の変位範囲を巻取り室３１内に確保できたので、カメラの左右方向寸法が小さくできる。
【００２０】
なお、本実施形態では、第二フイルム押さえ部材４８のガイド部５１を腕部５０や固定部４９と一体に形成したが、ガイド部５１を別に設けて腕部５０に取り付けてもよい。また、第一及び第二フイルム押さえ部材４６、４８とも、板バネを使用したが弾性変形可能な樹脂などを使用してもよい。また、第一及び第二フイルム押さえ部材４６，４８の幅、厚み寸法などを変えることによって、巻取軸４３への押圧力を調整することができる。また、巻取り室３１を固定筒３６の一部を用いて構成したが、固定筒３６を用いた部分を本体基部２１で一体に成形してもよい。
【００２１】
また、上記実施形態では、フイルムカートリッジ２７からフイルム３０を送り出すタイプのＡＰＳカメラを例に挙げて説明したが、これに限らず、１３５フイルムが収容されたフイルムパトローネを装填するタイプのカメラに本発明を用いても良い。
【００２２】
図３に示す構成を有した従来の１３５フイルムを使用するカメラでは、ユーザは予めフイルムの先端部１１ａが巻取軸１２にかかるようにフイルムパトローネからフイルム１１を少し引き出して、装填室にフイルムパトローネを装填する。そして、後カバー１４を閉めると巻取軸１２が回転することで、巻取軸１２に設けられた係止爪とフイルム１１のパーフォレーションが係合して、フイルム１１が巻取軸１２に巻き取られて１枚目のフレームがセットされる。しかし、フイルムパトローネを装填する際に、フイルム１１の引き出し量が少ないと、第二フイルム押さえ部材１７と巻取り室１２の側壁との隙間にフイルム先端部１１ａが落ち込んでしまう問題があった。しかし、本発明を用いた図１に示す構成の１３５フイルムを使用するカメラでは、フイルムの引き出し量が少ない場合でも、第二フイルム押さえ部材４８に設けられたガイド部５１によって第二フイルム押さえ部材４８と巻取り室３１の側壁の隙間にフイルム先端部が落ち込むことを防止できる。
【図面の簡単な説明】
【００２３】
【図１】本発明を用いたカメラの概略を示す断面図である。
【図２】第二フイルム押さえ部材の動きを説明する断面図である。
【図３】従来のフイルム押さえぶざいを説明する断面図である。
【符号の説明】
【００２４】
２０  カメラ
２１  本体基部
２７  フイルムカートリッジ
３０  フイルム
３１  巻取り室
３６  固定筒
４１  フイルム支持部
４３  巻取軸
４６  第一フイルム押さえ部
４８  第二フイルム押さえ部
５０  腕部
５０ａ押圧部
５１  ガイド部
【図１】
2005195774.tif 000003
【図２】
2005195774.tif 000004
【図３】
2005195774.tif 000005